(57)【要約】【課題】物干竿から吊るす場合は勿論、ドア等の壁部を有する構造物の頂面から吊り下げる場合でも、洗濯物を水平に近い状態で干すことができ、ドアの頂面から吊り下げる場合でも、ドアを閉めることのできる物干具を提供する。【解決手段】洗濯物の保持手段７を備えた枠状部材６が吊り手２の基部３から紐状部材８で吊り下げられてなる物干具１において、前記基部３がボックス状からなり、該基部３内に、垂直状の壁部を有する構造物の頂面から吊り下げるための壁用鉤部４が収脱自在の内蔵されていることを特徴とする物干具１である。【選択図】図１
2012011119.tif 000002
【特許請求の範囲】
【請求項１】
洗濯物の保持手段を備えた枠状部材が吊り手の基部から紐状部材で吊り下げられてなる物干具において、
前記基部がボックス状からなり、該基部内に、垂直状の壁部を有する構造物の頂面から吊り下げるための壁用鉤部が収脱自在の内蔵されていることを特徴とする物干具。
【請求項２】
壁用鉤部は、下方が開放されたボックス状の基部の一端部に軸支されたアーム部と、平板状の頂部と、前記頂部から折り返された返し部とからなることを特徴とする請求項１に記載の物干具。
【請求項３】
基部内に収容された壁用鉤部を保持するための保持構造が設けられていることを特徴とする請求項１又は請求項２に記載の物干具。
【請求項４】
基部から脱出した壁用鉤部を仮止めするための係止構造が設けられていることを特徴とする請求項１乃至請求項３のいずれかに記載の物干具。
【請求項５】
枠状部材の壁用鉤部側に、壁部と枠状部材との間隔を保持するためのスペーサーが突設されていることを特徴とする請求項１乃至請求項４のいずれかに記載の物干具。
【請求項６】
枠状部材の右左側の少なくとも一方に洗濯物の保持手段を備えた補助枠部材が設けられていることを特徴とする請求項１乃至請求項５のいずれかに記載の物干具。
【請求項７】
壁用鉤部が壁部の頂面に掛けられている状態のときに、枠状部材が略水平になるように紐状部材の長さ及び取り付け位置、壁用鉤部の位置及び角度が調整されていることを特徴とする請求項１乃至請求項６のいずれかに記載の物干具。
【発明の詳細な説明】
【技術分野】
【０００１】
本発明は、多数の洗濯物を一度に吊るして干すことができる物干具に係り、特に、ドアやフェンス等の垂直状の壁部を有する構造体の上から吊るして干す場合に適した物干具に関する。
【背景技術】
【０００２】
ハンカチ、タオル、下着や靴下など、比較的小さな洗濯物を干すための物干具として、合成樹脂や金属薄板からなるリング形の枠体に複数のピンチを一定間隔毎に取り付け、前記枠体の４つのコーナ部に掛けられたワイヤーないしはチェーンなどの４本の紐状部材の各先端を吊り手の下端部に接続したものが知られている（例えば、特許文献１参照）。
このような物干具は、物干竿から吊り下ることを前提として設計されているが、急に雨になった場合や雨天の日など洗濯物を屋外に出せない場合には、物干具の吊り手の上方向に延びる鉤部（フック）を鴨居などに引っ掛けたり、室内にロープを張り渡してこのロープに物干具の鉤部を引っ掛けたりして洗濯物を室内干しされている。
【０００３】
また、フック状の吊り手では、風に煽られると物干竿から外れるため、吊り手を竿バサミ状として物干竿をバネの付勢力で挟み込み、更に、雨の際には鴨居に引っ掛ける鴨居用フックを一体的に取り付けた物干具も市販されている。
【先行技術文献】
【特許文献】
【０００４】
【特許文献１】実開昭５６−６３９２号公報
【発明の概要】
【発明が解決しようとする課題】
【０００５】
しかしながら、近年、建築物の洋風化が進むにつれて和室が減少しており、物干具の鉤部を引っ掛けることができる鴨居も減ってきている。また、ロープを用いる場合は、当該ロープを室内に張り渡したり、回収する手間が煩雑であるばかりでなく、部屋の外観や使い勝手が悪くなるという問題を含んでいる。
【０００６】
かかる状況下において、吊り手や鴨居用フックをドアの頂面に引っ掛けて物干具を吊るす場合がある。
しかしながら、従来の吊り手や鴨居用フックをドアに引っ掛けて物干具を吊るした場合、吊り手や鴨居用フックが大きく上方に突出するため、洗濯物等を干している間はドアを閉めることが出来なくなり、廊下から室内が丸見えになってしまう不都合があり、さらにエアコンなどを使った場合に冷気、暖気がドアから逃げてしまい、冷暖房効率が悪化してしまうという問題がある。
【０００７】
また、従来の吊り手や鴨居用フックをドアに引っ掛けて物干具を吊るした場合は、図７に示したように、物干具Ｏの枠状部材６が大きく傾いてしまい、その結果、洗濯物同士の距離が小さくなり、風通しが悪くなるので、洗濯物が乾燥しにくくなるという問題もある。
【０００８】
本発明はかかる実情に鑑み、従来技術の上記問題点を解消し、ドアから吊り下げた状態でも当該ドアを閉じることができ、さらにドアやフェンス等の壁部を有する構造物の頂面から吊り下げられた状態でも枠状部材が傾かない物干具を提供することを目的とする。
【課題を解決するための手段】
【０００９】
上記目的を達成するために、本発明の特徴の第１は、洗濯物の保持手段を備えた枠状部材が吊り手の基部から紐状部材で吊り下げられてなる物干具において、
前記基部がボックス状からなり、該基部内に、垂直状の壁部を有する構造物の頂面から吊り下げるための壁用鉤部が収脱自在の内蔵されていることを特徴とする物干具を内容とする。
【００１０】
本発明の特徴の第２は、壁用鉤部は、下方が開放されたボックス状の基部の一端部に軸支されたアーム部と、平板状の頂部と、前記頂部から折り返された返し部とからなることを特徴とする上記の物干具を内容とする。
【００１１】
本発明の特徴の第３は、基部内に収容された壁用鉤部を保持するための保持構造が設けられていることを特徴とする上記の物干具を内容とする。
【００１２】
本発明の特徴の第４は、基部から脱出した壁用鉤部を仮止めするための係止構造が設けられていることを特徴とする上記の物干具を内容とする。
【００１３】
本発明の特徴の第５は、枠状部材の壁用鉤部側に、壁部と枠状部材との間隔を保持するためのスペーサーが突設されていることを特徴とする上記の物干具を内容とする。
【００１４】
本発明の特徴の第６は、枠状部材の右左側の少なくとも一方に洗濯物の保持手段を備えた補助枠部材が設けられていることを特徴とする上記の物干具を内容とする。
【００１５】
本発明の特徴の第７は、壁用鉤部が壁部の頂面に掛けられている状態のときに、枠状部材が略水平になるように紐状部材の長さ及び取り付け位置、壁用鉤部の位置及び角度が調整されていることを特徴とする上記の物干具を内容とする。
【発明の効果】
【００１６】
本発明による物干具は、洗濯物の保持手段を備えた枠状部材が吊り手の基部から紐状部材で吊り下げられてなる物干具において、前記基部がボックス状からなり、該基部内に、垂直状の壁部を有する構造物の頂面から吊り下げるための壁用鉤部が収脱自在の内蔵されているので、物干竿や鴨居だけでなく、急に雨になった場合や雨天の日など、内蔵されている壁用鉤部を取り出してドア等の垂直状の壁部の頂面から吊り下げることができる。
また、壁用鉤部を使用しない場合は、基部内に収容できるので邪魔にならず、取り扱い性も良く、外観も良好である。
【００１７】
壁用鉤部を、下方が開放されたボックス状の基部の一端部に軸支されたアーム部と、平板状の頂部と、前記頂部から折り返された返し部とからなる構成することにより、平板状の頂部をドアの壁部の頂面に壁用鉤部を掛けた際、平板状の頂部がドアの壁面の頂部とドア枠の隙間に入り込むので、ドアを閉じることができる。その結果、廊下から室内を覗かれる心配がないとともに、冷暖房機器を稼働させた状態で、エネルギーロスを起こすことなく、洗濯物を効率的に乾かすことができる。
また、返し部により壁部の裏側から支えられているので、本発明の物干具が吊り下げられた壁部を少々揺り動かしても（例えば、ドアを開閉しても）物干具が落下する心配がない。
【００１８】
吊り手の基部内に収容されている壁用鉤部を基部内に保持するための保持構造を設ければ、竿用鉤部を用いて洗濯物を干している際に、壁用鉤部が不意に飛び出すことがないため、取り扱い性も良く、安全である。
【００１９】
吊り手の基部から突出した壁用鉤部を仮止めするための係止構造を設ければ、突出した壁用鉤部の分だけ長くなり、基部の下端部を持って手を伸ばせば、背が低い人でもドアの壁部の頂面のような高いところにも簡単に壁用鉤部を掛けることができる。
【００２０】
枠状部材の壁用鉤部側に壁部と枠状部材の間隔を保持するためのスペーサーを突設すれば、壁部と洗濯物の間に十分な間隔を保持し、風の通り道を確保することができるので、洗濯物の乾きが速くなる。
【００２１】
枠状部材の左右側の少なくとも一方に補助枠部材を設ければ、必要に応じて、補助枠部材を延ばして大量の洗濯物を干したり、あるいは補助枠部材を折り畳んで省スペース化することができる。
【００２２】
壁用鉤部が壁部の頂面に掛けられている状態のときに、枠状部材が略水平になるように紐状部材の長さ及び取り付け位置、壁用鉤部の位置及び角度を調整すれば、物干具を壁部の頂面に吊り下げた状態でも洗濯物同士の間に十分な間隔が保持され、風通しがよくなるので洗濯物の乾きが速くなる。
【図面の簡単な説明】
【００２３】
【図１】図１は本発明の物干具の一例を示す概略図である。
【図２】図２（ａ）は基部内に壁用鉤部が収容固定されている状態を示す概略図であり、（ｂ）は（ａ）の概略断面図である。
【図３】図３は基部から突出している壁用鉤部が仮止めされている状態を示す概略断面図である。
【図４】図４は、図１に示した物干具の上面図である。
【図５】図５は補助枠部材が設けられた枠状部材を示す側面図である。
【図６】図６は本発明の物干具を壁部の頂面から吊り下げた状態を示す概略図である。
【図７】図７は従来の物干具を壁部の頂面から吊り下げた状態を示す概略図である。
【発明を実施するための形態】
【００２４】
本発明の物干具は、図１に示した如く、洗濯物の保持手段７を備えた枠状部材６が吊り手２の基部３から紐状部材８で吊り下げられてなる物干具１において、前記基部３がボックス状からなり、該基部３内に、垂直状の壁部を有する構造物の頂面から吊り下げるための壁用鉤部４が収脱自在の内蔵されていることを特徴とするもので、物干竿や鴨居だけでなく、急に雨になった場合や雨天の日など、内蔵されている壁用鉤部４を基部３内から取り出してドア等の垂直状の壁部の頂面から吊り下げることができる。
【００２５】
本発明における吊り手２には、竿用鉤部５のほかに、壁部Ｗの頂面に掛けるための壁用鉤部４が設けられている。
吊り手２の構造は、物干竿から吊り下げるのに適した形状であれば特に限定されず、従来の物干具で使用されている鉤部の形状が全て好適に用いることができるが、図１に示した実施例では、竿バサミ状の竿用鉤部５と鴨居用鉤部９とが一体的された形状のものが用いられている。
ここで、竿用鉤部５とは、従来の物干具を物干竿から吊り下げるために用いられている鉤部と本質的に同じものであり、本発明においても、従来の物干具と同様、基部３の上側から突設されている。
【００２６】
本発明において壁用鉤部４とは、ドアやフェンス等の垂直状の壁部Ｗを有する構造物の頂面から吊り下げるための構造であり、壁部の頂部と係合可能な形状であればどのような構造でも使用できるが、一般的に壁部Ｗは垂直状の表裏面及び水平上の頂面を有することが多いので、壁部Ｗの表面に沿って伸びるアーム部４ａと、平板状の頂部４ｂと、頂部から折り返された返し部４ｃからなり、壁用鉤部４の頭部が逆凹状のものが一般的なドアやフェンス等の壁部の頂面に掛けることができるので好ましい。
【００２７】
なお、壁用鉤部４のアーム部４ａの一部が壁部Ｗの表面に沿う形状であれば、壁部Ｗの頂面に掛けた時に安定しやすくなる一方、アーム部４ａの全部を壁部Ｗの表面に沿う形状にすれば、吊り手２の基部３が壁部Ｗと接近しすぎ、このために枠状部材６が急角度に傾きやすくなる傾向がある。従ってアーム部４ａは、一部が壁部Ｗに沿い壁部Ｗと基部３の距離を保つことができるように、略く字状に折り曲げられた形状とするのが好ましい。
【００２８】
また、壁用鉤部４の平板状の頂部４ｂの厚みは、例えば、ドア用の場合は、ドアの壁部Ｗの頂面とドア枠との隙間よりも薄く（通常、５ｍｍ以下程度、好ましくは３〜１ｍｍ程度）すれば、壁用鉤部４の平板状の頂部４ｂにより本発明の物干具１をドアの壁部Ｗに掛けたままドアを閉めることがきるので、廊下から室内を覗かれる心配がなくなる。また、冷暖房機器を運転する際の冷気や暖気が開け放ったドアから逃げことがなくなるので、冷暖房機器を運転しながら、エネルギーロスを起こすことなく、洗濯物を効率的に乾燥することができる。
また、壁用鉤部４の返し部４ｃによって、壁部Ｗの裏側からも支えられているので、本発明の物干具１が吊り下げられた壁部Ｗを少々揺り動かしても、例えば、ドアを開閉しても、物干具１が落下する心配がない。
【００２９】
吊り手２の竿用鉤部５を用いて物干竿に吊り下げたり、鴨居用鉤部９を用いて鴨居から吊り下げる場合には、上記した壁用鉤部４は使用されないので、本発明では、壁用鉤部４をボックス状の基部３内に収脱自在の内蔵される。
具体的には、図１に示した例では、基部３の形状を下方が開放されたボックス状にすると共に、その一端部にアーム部４ａの根元を軸支（軸支部１０）し、竿用鉤部５や鴨居用鉤部９をを用いる際には壁用鉤部４を回動させて基部３の中に収容できるように構成されている。その他、壁用鉤部４を基部３内で摺動させて出し入れできるようにすることもできる。
【００３０】
壁用鉤部４を基部３内に収容可能に構成した場合、本発明では、基部３内に収容された壁用鉤部４を保持するための保持構造３ａを設けることができる。
保持構造３ａの具体的な構造は特に限定されないが、図２に示した例では、基部３の中に壁用鉤部４が収容されている状態で、摺動式の保持構造３ａを右側にスライドさせることにより、壁用鉤部４が保持されるようになっている。詳しくは、基部３の両側面には保持構造３ａを摺動させるためのスリット３ａ１が設けられており、このスリット３ａ１に沿って摺動する釦３ａ２を前記スリット３ａ１の両外側に配置し、両釦３ａ２の間に保持棒３ａ３を架設した構造となっている。この構造において、壁用鉤部４が基部３内に収容された状態で釦３ａ２を図２の右側に摺動させれば、図２（ｂ）に示したように、保持棒３ａ３が壁用鉤部４の返し部４ｃを支えるので、壁用鉤部４は基部３内に保持される。
【００３１】
壁用鉤部４を基部３内から脱出させて壁部に掛けて使用するに際し、突出した壁用鉤部４を仮止めするための係止構造３ｂを設けることが好ましい。
係止構造３ｂの具体的な構造は特に限定されないが、図３に示した例では、壁用鉤部４が軸支されている側の基部３の端部に端部板３ｂ１を垂設するとともに、基部３から壁用鉤部４を突出させたときに前記端部板３ｂ１と当接するが弾性変形して端部板３ｂ１を乗り越える小突起３ｂ２と、端部板３ｂ１を乗り越えることができない大突起３ｂ３からなる構造が採用されている。
このような構造によれば、図３に破線で示したように、端部板３ｂ１が大突起３ｂ３と小突起３ｂ２の間に嵌着されるので、この位置で壁用鉤部４を突出した状態で仮止めすることができる。
なお、壁用鉤部４が突出した状態で仮止めすれば、図６に示すように、突出した壁用鉤部４の分だけ長くなるので、基部３の下端を持って手を伸ばせば、基部３の長さプラス壁用鉤部４の長さとなるので、背が低い人でもドアの壁部の頂面のような高いところにも簡単に壁用鉤部を掛けることができる。
【００３２】
本発明で使用する枠状部材６は、従来の物干具で使用されている枠状部材と本質的に同じ機能を有するもので、剛性を有する部材に洗濯物の保持手段７を適当な間隔で設けることにより、洗濯物の間隔を適当に保持するように構成されている。
枠状部材６の形状は特に限定されないが、図４に記載されているような、環状の外枠６ａ及び当該外枠６ａの内側に橋設された内枠６ｂからなる形状が一般的であるが、これに限られず、物干具において洗濯物の保持手段７が適宜間隔で設けられている従来の構造体の形状はどのようなものでも使用できる。
なお、本発明で使用する洗濯物の保持手段７は、従来の物干具で使用されている保持手段と本質的に同じ機能を有するもので、具体的にはピンチが使用できるが、洗濯物を枠状部材から吊るすことができるかぎり、どのようなものでも使用できる。
【００３３】
本発明における枠状部材６の壁用鉤部４側には、図４に示したように、壁部Ｗと枠状部材６との間隔を保持するためのスペーサー６ｃを突設することができる。
スペーサー６ｃの位置は、枠状部材６の壁用鉤部４側（即ち、壁部と接する側）である限り特に限定されないが、枠状部材６の壁用鉤部４側の辺の左右の端部分に一つずつ設ければ、枠状部材６と壁部Ｗの位置が安定し、物干具１の揺動が押さえられるので好ましい。
本発明においてスペーサー６ｃを突設すれば、壁部と洗濯物との間に十分な間隔が保持され風の通り道を確保することができ、洗濯物の乾きを速めることができる。
【００３４】
本発明では、図５に示すように、枠状部材６の右左側の少なくとも一方に洗濯物の保持手段７を備えた補助枠部材６ｄを設けることができる。補助枠部材６ｄの機能、用途は枠状部材６と略同じであるが、洗濯物が多かったりスペースに余裕があるときには、図５に示したように、補助枠部材６ｄを広げて使用することができ、一方、洗濯物が少なかったりドアの開閉の邪魔になるような場合は、図５に破線で示したように、補助枠部材６ｄをコンパクトに折り畳んで使用することができる。
【００３５】
本発明の物干具１では、図１に示されるように、壁用鉤部４が略横方向に向かって突設されているので、壁用鉤部４を壁部Ｗの調面に掛けた場合、図６に示したように、従来の物干具Ｏを壁部Ｗに掛けた場合（図７参照）とは逆方向に基部３が傾く。このため、本発明の枠状部材６においては、図７に示された本来の傾斜が、前述の基部３の逆向き傾斜と相殺されるので、従来の物干具Ｏを壁部Ｗの頂面から吊るした場合と比較して、水平に近い状態で洗濯物を干すことができる。
【００３６】
図７に示すように、枠状部材６が傾斜している場合、当該枠状部材６から吊り下げた洗濯物同士の間隔が小さくなってしまい、その分風通しが悪くなり、洗濯物が乾きにくくなるので、枠状部材６の傾斜角度をできる限り水平にし、洗濯物同士の間隔を確保することが好ましい。
本発明では、紐状部材８の長さ及び取り付け位置、基部３の長さ、基部３に対する壁用鉤部４の位置及び角度を調整することにより、壁用鉤部４が壁部Ｗの頂面に掛けられた場合における枠状部材６を略水平に調整することができる。
【００３７】
本発明において紐状部材８とは、吊り手２から枠状部材６を吊り下げるための部材である。図１乃至図６に示した実施例では、紐状部材８として金属鎖が使用されているがこれに限定されず、帯、紐、棒なども本発明の紐状部材８として使用できる。
【００３８】
本発明における物干具１の材質は、吊り手２、基部３及び枠状部材６については、洗濯物を干すのに十分な強度を有する点で金属や樹脂を使用でき、さらに耐腐食性、軽量性を兼ね備えている点で樹脂が好ましく、具体的には、例えば、ＡＢＳ樹脂（アクリロニトリル−ブタジエン- スチレン共重合樹脂）、ＡＡＳ樹脂（アクリロニトリル／アクリルゴム／スチレン樹脂）、ＡＥＳ樹脂（アクリロニトリル／エチレンプロピレンゴム／スチレン樹脂）、ＡＳ樹脂（アクリロニトリル／スチレン樹脂）、ＰＳ樹脂（ポリスチレン樹脂）、ＰＭＭＡ樹脂（ポリメチルメタクリレート樹脂）、ＰＶＣ樹脂（ポリ塩化ビニリデン樹脂）、ＭＳ樹脂（メチルメタクリレート／スチレン樹脂）、ＰＰ樹脂（ポリプロピレン樹脂）、ＰＥ樹脂（ポリエチレン樹脂）、ＰＢＴ樹脂（ポリブチレンテレフタレート樹脂）およびＰＣ樹脂（ポリカーボネート樹脂）等が使用可能である。コスト面での有利さと軽量性を兼ね備えている点でＰＥ樹脂（ポリエチレン樹脂）やＰＰ樹脂（ポリプロピレン樹脂）が好ましい。
壁用鉤部４については、樹脂や金属が使用できるが、平板状の頂部４ｂを薄く形成する場合は強度の大きい金属が好ましく、アーム部４ａについては、一部樹脂を使用してもよい。
紐状部材８については、洗濯物が保持された枠状部材６を支えるのに必要な強度を備えている点で金属製が好ましく、耐腐食性を備えている点でステンレスがさらに好ましい。
【００３９】
本発明における物干具は、壁用鉤部を実質的に垂直状の壁部を有する構造体の頂面に掛けることにより吊るして使用され、このような実質的に垂直状の壁部を有する構造体としては、屋内では、ドア、衝立、パーティション（間仕切り）、鴨居等、屋外では、金網フェンス、ブロック塀等があげられる。
特に、ドアに適用した場合には、従来の吊り手や鴨居用フックとは異なって、ドアを閉めることができ、エアコンを運転しながら乾かしても、エネルギーロスが生じないので好適である。
【産業上の利用可能性】
【００４０】
叙上のとおり、本発明の物干具によれば、物干竿から吊るす場合は勿論、ドアやフェンス等の壁部を有する構造物の頂面から吊り下げる場合でも、洗濯物を水平に近い状態で干すことができ、また、ドアの頂面から吊り下げる場合でも、物干具を吊り下げた状態でドアを閉めることができるので、冷暖房機器を運転しながら、エネルギーロスを起こすことなく、洗濯物を効率的に乾燥することができ、その有用性は頗る大である。
【符号の説明】
【００４１】
１  物干具
２  吊り手
３  基部
３ａ  保持構造
３ａ１  スリット
３ａ２  釦
３ａ３  保持棒
３ｂ  係止構造
３ｂ１  端部板
３ｂ２  小突起
３ｂ３  大突起
４  壁用鉤部
４ａ  アーム部
４ｂ  頂部
４ｃ  返し部
５  竿用鉤部
６  枠状部材
６ａ  外枠
６ｂ  内枠
６ｃ  スペーサー
６ｄ  補助枠部材
７  洗濯物の保持手段
８  紐状部材
９  鴨居用鉤部
１０  軸支部
Ｗ  壁部
Ｏ  従来の物干具
【図１】
2012011119.tif 000003
【図２】
2012011119.tif 000004
【図３】
2012011119.tif 000005
【図４】
2012011119.tif 000006
【図５】
2012011119.tif 000007
【図６】
2012011119.tif 000008
【図７】
2012011119.tif 000009